(57)【要約】【課題】潜航板を用いたトローリングでは、潜航板の挙動によって、疑似餌の動きが変わり、魚の食い付きが左右される。そのため、本発明では、疑似餌の挙動を生餌に近づけることで魚の食い付きを向上させて漁獲量を増大させることができる潜航板を提供する。【解決手段】本発明では、前端上部側に道糸を接続するとともに、後端下部側に鉤素を接続する潜航板において、全体を前後に伸延する矩形薄板形状とし、前後に湾曲させることにした。また、本発明では、上面を左右に湾曲させることにした。さらに、本発明では、前端部の幅を後端部の幅よりも狭くするとともに、前端部中央の厚みを後端部中央の厚みよりも薄くすることにした。【選択図】図２
2014171467.tif 000002
【特許請求の範囲】
【請求項１】
前端上部側に道糸を接続するとともに、後端下部側に鉤素を接続する潜航板において、
全体を前後に伸延する矩形薄板形状とし、前後に湾曲させたことを特徴とする潜航板。
【請求項２】
上面を左右に湾曲させたことを特徴とする請求項１に記載の潜航板。
【請求項３】
前端部の幅を後端部の幅よりも狭くするとともに、前端部中央の厚みを後端部中央の厚みよりも薄くしたことを特徴とする請求項１又は請求項２に記載の潜航板。
【発明の詳細な説明】
【技術分野】
【０００１】
本発明は、漁具の一部として知られている潜航板に関するものである。
【背景技術】
【０００２】
従来より、トローリングの際に擬似餌を左右に揺動させるために、道糸と鉤素との間に潜航板を取付けている。
【０００３】
そして、曳航船によって道糸を介して潜航板を曳くことで、潜航板が海水の抵抗を受け、海水中の所定の深さで左右に揺動する。これにより、鉤素に接続した疑似餌が生餌のように海中を動き、魚の食い付きが向上する。
【０００４】
この潜航板としては、道糸を接続する前端側を半円形とするとともに、鉤素を接続する後端側に向けて左右の幅を漸次狭くした薄板形状のものが知られている（たとえば、特許文献１参照。）。
【先行技術文献】
【特許文献】
【０００５】
【特許文献１】実用新案登録第２５７５０２４号公報
【発明の概要】
【発明が解決しようとする課題】
【０００６】
潜航板は、曳航船によって曳かれることで海水の抵抗を受けて海中で動くことになるため、海水の抵抗を受ける全体的な形状が、その挙動に大きな影響を及ぼす。そして、潜航板の挙動によって、疑似餌の動きが変わり、魚の食い付きを左右する。
【０００７】
そのため、トローリングにおいて、潜航板は、漁獲量を左右する重要な漁具のひとつとなっている。
【課題を解決するための手段】
【０００８】
そこで、請求項１に係る本発明では、前端上部側に道糸を接続するとともに、後端下部側に鉤素を接続する潜航板において、全体を前後に伸延する矩形薄板形状とし、前後に湾曲させることにした。
【０００９】
また、請求項２に係る本発明では、前記請求項１に係る本発明において、上面を左右に湾曲させることにした。
【００１０】
また、請求項３に係る本発明では、前記請求項１又は請求項２に係る本発明において、前端部の幅を後端部の幅よりも狭くするとともに、前端部中央の厚みを後端部中央の厚みよりも薄くすることにした。
【発明の効果】
【００１１】
そして、本発明では、以下に記載する効果を奏する。
【００１２】
すなわち、本発明では、前端上部側に道糸を接続するとともに、後端下部側に鉤素を接続する潜航板において、全体を前後に伸延する矩形薄板形状とし、前後に湾曲させ、或いは、上面を左右に湾曲させ、若しくは、前端部の幅を後端部の幅よりも狭くするとともに、前端部中央の厚みを後端部中央の厚みよりも薄くすることで、潜航板に接続した疑似餌の挙動を生餌に近づけることができ、魚の食い付きが向上して、漁獲量を増大させることができる。
【図面の簡単な説明】
【００１３】
【図１】本発明に係る潜航板を示す平面図。
【図２】同右側面図。
【図３】同正面図（ａ）、背面図（ｂ）。
【図４】同中央側面断面図。
【発明を実施するための形態】
【００１４】
以下に、本発明に係る潜航板の具体的な構成について図面を参照しながら説明する。
【００１５】
図１〜図４に示すように、潜航板１は、全体を前後に伸延する縦長矩形薄板形状となっている。
【００１６】
この潜航板１は、前端部中央に１個の貫通孔２を形成している。そして、道糸に接続するためのループ状の連結紐３の端部を貫通孔２の上側から下側に向けて挿通し、貫通孔２の下側で連結紐３の端部同士を結んでいる。連結紐３は、先端部を潜航板１の前側上方に向けて張り出させている。
【００１７】
また、潜航板１は、後端部中央に２個の貫通孔4,5を前後に間隔を開けて形成している。そして、鉤素に接続するためのループ状の連結紐６の端部を貫通孔５の下側から上側に向けて挿通するとともに貫通孔４の上側から下側に向けて挿通し、貫通孔４の下側で連結紐６の端部同士を結んでいる。連結紐６は、先端部を潜航板１の後側下方に向けて張り出させている。
【００１８】
さらに、潜航板１は、後端部中央に横長矩形薄板形状の弾性体からなる調整体７を取付けている。この調整体７は、中央部が前後の貫通孔4,5の間に設けられている連結紐６で押さえられており、連結紐６の左右に張り出した調整片8,9が自由に上下に撓むようになっている。
【００１９】
この潜航板１は、全体で比重が１以下で海中で浮くようになっている。そして、潜航板１は、前端上部側で連結紐３の先端に道糸を接続するとともに、後端下部側で連結紐６の先端に鉤素を接続して使用され、曳航船によって道糸を介して曳かれることで海水の抵抗を受けて海中で前低後高状の傾斜姿勢で左右に揺動する。その際に、潜航板１の左右への揺動に伴って調整体７の調整片8,9が海水の抵抗を受けて撓み、左右の揺動幅を調整する。
【００２０】
本発明に係る潜航板１では、全体を前後に伸延させた矩形薄板形状とするとともに、伸延方向である前後方向に向けて湾曲させた形状としている。ここでは、平坦面上に前後端部を載置させた状態で中央部が最も厚い部分の厚みよりも小さく上方に隆起するように前後に湾曲させている。
【００２１】
このように、潜航板１は、全体が前後に伸延した矩形薄板形状となっており、伸延方向である前後方向に向けて湾曲させた形状となっているために、海中で潜航板１の上面（進行方向面）において海水が前端側から後端側に向けて滑らかに流れることになり、海中で安定した姿勢で円滑に動くことができる。
【００２２】
また、本発明に係る潜航板１では、下面を前後に湾曲する面で左右に平坦な面とするとともに、上面を前後に湾曲するだけでなく左右にも湾曲する面となる形状としている。
【００２３】
このように、潜航板１は、上面が左右に湾曲する面となっているために、海中で潜航板１の上面（進行方向面）において海水が中央部から左右端縁部に向けて滑らかに流れることになり、これによっても海中で安定した姿勢で円滑に動くことができる。
【００２４】
さらに、本発明に係る潜航板１では、前端部の幅を後端部の幅よりも狭くした形状とするとともに、前端部中央の厚みを後端部中央の厚みよりも薄くした形状としている。
【００２５】
このように、潜航板１は、前端部の幅を後端部の幅よりも狭くするとともに、前端部中央の厚みを後端部中央の厚みよりも薄くなっているために、前端部と後端部とで浮力や海水の抵抗などが良好にバランスし、これによっても海中で安定した姿勢で円滑に動くことができる。
【００２６】
以上に説明したように、本発明に係る潜航板１では、全体を前後に伸延する矩形薄板形状とし、前後に湾曲させ、或いは、上面を左右に湾曲させ、若しくは、前端部の幅を後端部の幅よりも狭くするとともに、前端部中央の厚みを後端部中央の厚みよりも薄くしているために、海中で安定した姿勢で円滑に動くことができるので、潜航板１に接続した疑似餌の挙動を生餌に近づけることができ、魚の食い付きが向上して、漁獲量を増大させることができる。
【００２７】
なお、潜航板１は、プラスチックや木材などを削って製造することもできるが、成型によって製造することで複雑な形状のものを精度良く大量に製造することができる。たとえば、発泡材からなる芯体10の表面に上下の板状のＦＲＰからなる表面体11,12を接着するとともに、所定の形状で凹状に彫られた上下の型枠によって全体（芯体10及び表面体11,12）を押圧することで潜航板１を製造することもできる。
【符号の説明】
【００２８】
１  潜航板                          ２  貫通孔
３  連結紐                          4,5  貫通孔
６  連結紐                          ７  調整体
8,9  調整片                         10  芯体
11,12  表面体
【図１】
2014171467.tif 000003
【図２】
2014171467.tif 000004
【図３】
2014171467.tif 000005
【図４】
2014171467.tif 000006